Podtech/llm-jp-corpus-v4-ja_patent huggingface dataset:
(57)【特許請求の範囲】
【請求項１】
複数の板材を溶接又はボルトにより接合して構成される液体貯蔵タンクにおいて、
接合部の外側に、液体の外部への漏洩を防止するための、漏洩箇所を密封するカバー部材と、
該カバー部材内に漏れ出した液体を処理するための手段と、
が設けられると共に、前記カバー部材が構造部材を兼ねるようにされていることを特徴とする液体貯蔵タンク。
【請求項２】
前記カバー部材内に漏れ出した液体を処理するための手段が、雨水が入らないようにした通気口を設けることであることを特徴とする請求項１に記載の液体貯蔵タンク。
【請求項３】
前記カバー部材内に漏れ出した液体を処理するための手段が、吸収剤を設けることであることを特徴とする請求項１に記載の液体貯蔵タンク。
【発明の詳細な説明】
【技術分野】
【０００１】
本発明は、液体貯蔵タンクに係り、液体の漏洩を長期間にわたって防止することが可能な、堅牢な構造の液体貯蔵タンクに関する。
【背景技術】
【０００２】
液体を貯蔵するためのタンクとして、リング状に丸めた帯状鋼板を積層して構成したものが知られている。これは、例えば図１（Ａ）（正面図）、（Ｂ）（平面図）に例示する如く、複数の鋼板１２を、図２（Ａ）に示す如く、溶接（１８）や、図２（Ｂ）に示す如く、ボルト２０により接合部１４で接合して構成される外壁を有する。図において、１６はフランジ、２２は階段、２４は手すりである。
【０００３】
このような液体貯蔵タンク１０においては、長期保管、地震、地盤沈下などの外的要因、鋼材（１２）の腐食、ボルト２０の緩み、溶接部１８の割れ等の内的要因により、貯蔵された液体が接合部１４等から漏洩しないようにすることが重要である。
【０００４】
そこで、特許文献１のように、液体貯蔵タンク全体又は一部を２重構造とすることが行われている。又、液体の漏洩を防止するものではないが、特許文献２には、縦溶接線を隠す断面コの字状のボルト挿通孔付化粧材を設けることや、周方向溶接線に沿って目隠し兼用の断面コの字状のウインドガーダーを設けることが記載されている。
【先行技術文献】
【特許文献】
【０００５】
【特許文献１】特開２０００−５５７９５号公報
【特許文献２】特許第３８８４２３０号公報
【発明の概要】
【発明が解決しようとする課題】
【０００６】
しかしながら、長期間にわたって構造を安定させて液漏れを防止することは困難であった。特許文献２で用いられている化粧材にはボルト挿通孔が設けられており、ウインドガーダーも密閉構造ではないため、接合部から液漏れが発生した場合には外部への液漏れを防ぐことはできなかった。
【０００７】
本発明は、前記従来の問題を解決するべくなされたもので、長期間にわたって外部への液漏れを防止すると共に、構造を安定させることが可能な液体貯蔵タンクを提供することを課題とする。
【課題を解決するための手段】
【０００８】
本発明は、複数の板材を溶接又はボルトにより接合して構成される液体貯蔵タンクにおいて、接合部の外側に、液体の外部への漏洩を防止するための、漏洩箇所を密封するカバー部材と、該カバー部材内に漏れ出した液体を処理するための手段と、を設けると共に、前記カバー部材が構造部材を兼ねるようにすることにより、前記課題を解決したものである。
【０００９】
ここで、前記カバー部材内に漏れ出した液体を処理するための手段は、雨水が入らないようにした通気口を設けることとすることができる。
又、前記カバー部材内に漏れ出した液体を処理するための手段は、吸収剤を設けることとすることができる。
【発明の効果】
【００１０】
本発明によれば、溶接又はボルトによる部材接合部の外側に、漏洩箇所を密封する漏洩防止用カバーを設けると共に、該カバー部材内に漏れ出した液体を処理するための手段（例えば通気口又は吸収剤）を設けることで、接合部から液漏れが発生しても、外部へ漏れるのを防止できる。更に、カバーが構造部材を兼ねているので、長期間にわたって構造を安定させることができる。
【図面の簡単な説明】
【００１１】
【図１】従来の液体貯蔵タンクの一例を示す（Ａ）正面図及び（Ｂ）平面図
【図２】従来の液体貯蔵タンクの鋼板の接合構造の例を示す断面図
【図３】本発明に係る液体貯蔵タンクの第１実施形態の（Ａ）全体を示す正面図及び（Ｂ）要部を示す拡大断面図
【図４】本発明に係る液体貯蔵タンクの第２実施形態の要部を示す拡大断面図
【発明を実施するための形態】
【００１２】
以下、図面を参照して、本発明の実施の形態について詳細に説明する。尚、本発明は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００１３】
本発明の第１実施形態は、図３（Ａ）（全体を示す正面図）及び（Ｂ）（要部を示す拡大断面図）に示す如く、複数の鋼板１２を接合して構成される液体貯蔵タンク１０において、接合部１４の外側に液体の外部への漏洩を防止するための漏洩防止用カバー部材３０を設けて、例えば溶接により密封したものである。図において、３２は、溶接による接合部である。
【００１４】
前記漏洩防止用カバー部材３０は、例えば断面コの字状のチャンネル材とすることができる。
【００１５】
なお、前記漏洩防止用カバー部材３０内に漏れ出した液体は、例えば漏洩防止用カバー部材３０の下方に設けられた図示しないドレインによって回収したり、漏洩防止用カバー部材３０の一部（例えば上部）に雨水が入らないように工夫した通気口を設けて自然乾燥させたり、漏洩防止用カバー部材３０の下方にスポンジのような吸収剤を設けて吸収させることができる。
【００１６】
次に、図４を参照して、本発明の第２実施形態を説明する。
【００１７】
本実施形態は、本発明を、フランジ１６とボルト２０を用いて鋼板１２が接合された液体貯蔵タンク１０に適用したものである。
【００１８】
他の点は第１実施形態と同じであるので、説明は省略する。
【００１９】
なお、前記実施形態では、いずれも、板材として鋼板が用いられ、廃液を収容するようにされていたが、材質や収容対象は、これらに限定されない。
【符号の説明】
【００２０】
１０…液体貯蔵タンク
１２…鋼板
１４…接合部
１６…フランジ
１８、３２…溶接部
２０…ボルト
３０…漏洩防止用カバー部材
【図１】
0006244810.tif 000002
【図２】
0006244810.tif 000003
【図３】
0006244810.tif 000004
【図４】
0006244810.tif 000005
(57)【特許請求の範囲】
【請求項１】
スコップ器具と握り柄から成る遠投スコップであり、前記スコップ器具は雪や砂利などを取り込むプラスチックやアルミニウム等で成型された伸縮接続部と差込口を持ち、スコップ先端部が９０度から１５０度に湾曲し、前記握り柄はやや柔軟性のあるプラスチック又はアルミニウム等の軽量素材で成型された円筒棒状形で先端部に握り柄伸縮接続部を持ち、後端部に滑り止め加工を施して３０度から４５度の角度にスコップ器具側に曲げた握り柄後端部を設け、前記握り柄と前記スコップ器具の底面部との接続角度を７５度から１０５度で接続したことを特徴とする遠投スコップ。
【発明の詳細な説明】
【技術分野】
【０００１】
この発明は雪及び砂利などの粒状対象物を、遠心力・慣性・反発力を利用し体力的負担が少なく手軽で安全に遠投作業のできる遠投スコップに関する。
【背景技術】
【０００２】
住宅周りの雪かきや砂利・砂などの移動作業では、従来のスコップなどはあまり遠投あるいは高所への雪投げができなかった為運搬作業が必要であった、また添える方の腕や腰への体力的負担が大きく長時間の遠投作業ができなかった。
【先行技術文献】
【特許文献】
【０００３】
【特許文献１】実用新案登録第３１７５８３８号公報
【発明の概要】
【発明が解決しようとする課題】
【０００４】
従来の除雪用スコップ・砂利用スコップでの作業では押して・持ち上げ・投げあるいは運び・捨てる作業の繰り返しであるが、添える腕や腰への体力的負担が大であり、長時間の遠投作業ができなかったため運搬車その他の手段が必要であった。その為楽に遠投作業ができ除雪時には次回の雪捨て場を広く確保でき、砂利などの遠投時の体力負担が少なく効率的、かつ誰でも手軽に安全に遠投作業ができることを可能にする器具が必要であった。
【課題を解決するための手段】
【０００５】
上述した課題を解決するため、本発明はやや柔軟性のある円筒棒状形プラスチック・アルミニウム等でできたパイプの握り柄部に滑り止め加工を施し、その先端部に雪や砂利などを取り込むスコップ状の器具を握り柄との接続角度を７５度から１０５度で接続した器具を発明した。さらに本器具初動時により効率的に力が入るように、握り柄後端部に角度３０度から４５度を付け、ユーザーの身長に合わせる為の簡単な長さ調節機構を持つ握り柄伸縮接続部を設け、スコップ先端部を角度９０度から１５０度に湾曲させたスコップ器具を、前記握り柄との接続角度を７５度から１０５度に接続した形状を特徴とする器具とした。
【発明の効果】
【０００６】
本発明の構成により積雪時の雪または砂利など集積が容易に出来、連続作業により雪や砂利や砂の遠投作業が体力負担の少ない効率的かつ安全、簡単にできるものである。またスコップ先端部に角度を付けることにより左右どちらの作業時にも目的の材料をより小さな力で綺麗にすくい取ることができ、握り柄後端部に角度３０度から４５度を付けたことにより腕への負担が少なく遠投作業ができる。
【図面の簡単な説明】
【０００７】
【図１】本発明に係る器具の斜視図である。
【図２】本発明に係る器具の平面図である。
【図３】本発明に係る器具の分解側面図である。
【発明を実施するための形態】
【０００８】
本発明の遠投スコップの一実施例を添付図面に基づいて、以下に説明する。
図１の斜視図及び図３の分解側面図に示すように、本発明の遠投スコップは、スコップ器具７と握り柄８から成る。
前記スコップ器具７は、雪や砂利などを取り込むプラスチックやアルミニウム等で成型されたスコップ先端部１が図１に示すように９０度から１５０度に湾曲させられ、スコップ後端部（番号なし）には握り柄８が差し込まれる差込口９と図２の平面図に示す止めピン５が差し込まれる伸縮接続部６を形成する。
【０００９】
前記握り柄８は、やや柔軟性のあるプラスチック又はアルミニウム等の軽量素材で成型された円筒棒状形で先端部に前記止めピン５が差し込まれる複数個の握り柄伸縮接続部２を持ち、一方後端部には滑り止め加工を施して３０度から４５度の角度にスコップ器具７側に曲げた握り柄後端部３を設け、前記スコップ器具７の底面部と前記握り柄８との接続角度を７５度から１０５度で接続する。
【００１０】
本発明の遠投スコップは、遠投対象物に合わせたアルミニウムまたはプラスチック等で成型されたスコップ先端部１に角度９０度から１５０度を付けたスコップ器具７と約１．５メートル前後、直径３０ミリ前後のやや弾性のあるアルミニウム・プラスチック等の軽量素材で成型された円筒状パイプの握り柄後端部３に角度３０度から４５度を付け滑り止め処理を施し、先端部に簡単な伸縮機構を持たせた握り柄８をスコップ器具７の底面部との接続角度を７５度から１０５度に装着し、握り柄伸縮接続部２と伸縮接続部６とを固定用止めピン５で一体としたものである。
【００１１】
次に、本発明の遠投スコップの操作動作を添付図面に基づいて、以下に説明する。
簡単な伸縮機構、すなわち握り柄８の握り柄接続部２をスコップ器具７の差込口９に差し込むことによりユーザーの使いやすい長さに設定し、握り柄伸縮接続部２と伸縮接続部６とを固定用止めピン５で一体とする。
次に、角度を付けた握り柄後端部３を右手で、握り柄中央部４を左手で、掌側が内向きに箒を持つように両手で持ち、身体を横切る左右方向に遠投する粒状物をスコップ先端部１から垂直に突き刺し持ち上げるようにすくい取り、そして、すくい取り動作を続けながら握り柄中央部４を斜め上方に持ち上げると同時に握り柄後端部３を持った腕が伸びきるまで下方に加速すると、握り柄中央部４を中心にして握り柄８が回転して接線方向に遠心力・慣性力・反発力により遠投できる。
なお、利き腕が逆の場合には、握り柄後端部３を左手で、握り柄中央部４を右手で握り同様の動作を行うことで利用できる。
スコップ器具７で雪などをすくい取り、握り柄８を斜め上方に持ち上げながら握り柄中央部４を中心に急速回転させることにより遠心力及び慣性力・反発力の利用により遠投する。
本器具は、手軽で安全かつ体力的負担が非常に少なく広範囲の作業に使用可能と考えられる。
【符号の説明】
【００１２】
１  スコップ先端部
２  握り柄伸縮接続部Ａ
３  握り柄後端部
４  握り柄中央部
５  止めピン
６  伸縮接続部Ｂ
７  スコップ器具
８  握り柄
９  差込口
【図１】
0006158244.tif 000002
【図２】
0006158244.tif 000003
【図３】
0006158244.tif 000004
(57)【特許請求の範囲】
【請求項１】
羽根枠内の空間を開閉できる機能を備えた羽根を回転軸に設け、羽根同士をケーブルで連結し、回転軸の両端に環状レール上を移動可能な回転軸受けを設け、その回転軸受けを環状レール上に備え、防風フェンスを環状レールの周囲に設けた抗力型開閉式発電機。
【発明の詳細な説明】
【技術分野】
【０００１】
本発明は抗力型の風力発電機に関する物である。
【背景技術】
【０００２】
従来の抗力型発電機は、羽根の裏表の形状で抵抗を変化させるものであり、回転効率は高くなく、また、プロペラ型発電機にも共通することであるが、羽根をハブの一点だけで支える構造なので、強度的に弱く、大型化すればするほど台風などの強風では回転させられないものであった。またそれを解決するための羽根を開閉するという発想はすでにあるがあまり実用化はされていない。
【先行技術文献】
【特許文献】
【０００３】
【特許文献１】特開昭５３−７１７３９号公報
【特許文献２】特開２０００−３２０４４５号公報
【特許文献３】米国特許第８８９９９２７号明細書
【特許文献４】国際公開第２０１３／０００１２７号
【特許文献５】実願昭６１−１０５５５９号
【特許文献６】特開２０１６−２０５３６１号公報
【発明の概要】
【発明が解決しようとする課題】
【０００４】
従来の抗力型発電機には効率の面で実用性が低かったり、強度に問題があるなどの解決すべき課題があった。
【課題を解決するための手段】
【０００５】
上記目的を達成するために、本発明の抗力型開閉式発電機において請求項１に係るものは、羽根枠内の空間を開閉できる機能を備えた羽根を回転軸に設け、羽根同士をケーブルで連結したものである。また、回転軸の両端に環状レール上を移動可能な回転軸受けを設け、その回転軸受けを環状レール上に備えたものであり、また、防風フェンスを環状レールの周囲に設けたものである。
【発明の効果】
【０００６】
本発明は、以上説明したように構成されており、以下に記載されるような効果を有する。  請求項１に係る仕組みを用いた場合、回転軸は環状レール上を移動可能な回転軸受けにより、風向きに合わせて環状レール上で自由に方向を変えることが出来る。また、回転軸に設けられた羽根枠内の空間を開閉できる機能を備えた羽根は、回転軸上側で羽根枠内の空間を閉じ、風から抗力を得られなくなった時点で羽根枠内の空間を開くことにより、羽根の上下の抗力差で回転軸を回転させる。また、羽根枠同士をケーブルで連結することによって、羽根の強度を高める。
【０００７】
環状レールの周囲に、回転軸の高さ付近まで防風フェンスで囲むことにより、戻り回転側の羽根に風を当てないようにすることで回転力を高めることができる。抗力型の発電機の欠点はプロペラ型に比べて効率が悪いことである。プロペラ型の発電機はすべての羽根が揚力によって回転力を得られるのに対して、抗力型は基本的に１枚のみしか回転力に寄与しない。その上、戻り回転側の羽根は風の速度に回転の速度が加わった抗力が反回転の力として作用する。開閉型の抗力発電機と言え、戻り回転の羽根の抵抗は重大な問題である。仮に開閉による面積の比率が１０：１で、風と同じ速度で回転したとした場合、戻り回転側の羽根枠の風との相対速度は２倍となる。エネルギーは風速に３乗されるので、羽根にかかるエネルギーの比率が１０：８となり、ほとんどの回転力が奪われてしまう。そこで本請求項では回転軸あたりまでの高さの防風フェンスをレールの周囲に設けることにより、回転軸に設けられた羽根が、戻り回転時に防風フェンスの中に入ることによって、風の抗力を受けないようにし回転力の低下を防ぐようにした。
【図面の簡単な説明】
【０００８】
【図１】発明を実施するための形態を示す斜視図である。
【図２】発明を実施するための形態を示す上面図である。
【図３】発明を実施するための形態を示す斜視図である。
【発明を実施するための形態】
【０００９】
本発明を実施するための形態を図１〜図３に基づいて説明する。環状レール（７）を設け、その上にレールに沿って移動可能な回転軸受け（３）を２つ設ける。２つの回転軸受け（３）は環状レール（７）の中心点を挟んで向かい合うように配置し、そこに回転軸（２）を取り付ける。回転軸（２）には４つの羽根枠（４）が９０度おきに備えられ、それぞれ隣り合う羽根枠（４）と羽根連結ケーブル（６）によって連結される。また、羽根枠（４）は回転軸連結ケーブル（８）によって回転軸（２）とも連結される。羽根枠（４）には開閉幕（１）が備えられ、羽根が水平面より上にきたときに開閉幕（１）を開き羽根枠（４）内の空間を閉じるようにする。これによって、回転軸（２）上側の羽根に風が当たり、回転軸（２）下側の羽根は開閉幕（１）を閉じて面積が大幅に減り、上下の羽根の抗力差によって回転する。開閉幕（１）は抗力を増すために、帆船の帆みたいに膨らませるのもよい。また、回転軸受け（３）の片方に発電機を設置し、もう片方には環状レール（７）を移動するための駆動装置をのせるとよい。図１は斜視図であり、図２は上面図である。
【００１０】
図３は図１の環状レール（７）の外周に防風フェンス（５）を設けたものである。防風フェンス（５）の高さは回転軸（２）のあたりまであり、回転軸（２）より下に位置する羽根枠（４）に風があたらないようにする。また、防風フェンス（５）は環状レール（７）の内側に位置しても働きは同じであるが、レール上の侵入を防ぐ意味においても環状レール（７）外周に防風フェンス（５）を設置するのが望ましい。
【符号の説明】
【００１１】
１  開閉幕
２  回転軸
３  回転軸受け
４  羽根枠
５  防風フェンス
６  羽根連結ケーブル
７  環状レール
８  回転軸連結ケーブル
【要約】
【課題】強度が強く、強風においても安定した発電を行うことができる開閉式抗力型発電機を提供するものである。
【解決手段】環状レール（７）を設け、その上に環状レール（７）に沿って移動可能な回転軸受け（３）を２つ設け、且つ２つの回転軸受け（３）は環状レール（７）の中心点を挟んで向かい合うように配置し、そこに回転軸（２）を取り付け、また回転軸（２）には４つの羽根枠（４）が９０度おきに備えられ、それぞれ隣り合う羽根枠（４）と羽根連結ケーブル（６）によって連結され、また羽根枠（４）は回転軸連結ケーブル（８）によって回転軸（２）とも連結され、羽根枠（４）には開閉幕（１）が備えられ、環状レール（７）の周囲を防風フェンス（５）で囲んでいることを特徴とする。
【選択図】  図３【図１】
0006233866.tif 000002
【図２】
0006233866.tif 000003
【図３】
0006233866.tif 000004